【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  通信システムの制御情報処理方法において、
ＨＳＤＰＡ（Ｈｉｇｈ−Ｓｐｅｅｄ  Ｄｏｗｎｌｉｎｋ  Ｐａｃｋｅｔ  Ａｃｃｅｓｓ）を支援するネットワークノードにパワーオフセット（ＰＯ）値を提供する段階を含み、
前記ＰＯ値は、ＨＳ−ＳＣＣＨのための値であり、前記提供する段階は、無線接続インターフェースプロトコルを通して行われることを特徴とする制御情報処理方法。
【請求項２】  前記提供する段階は、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）により行われ、前記ネットワークノードは、基地局であることを特徴とする請求項１に記載の制御情報処理方法。
【請求項３】  前記提供する段階は、ＳＲＮＣ（Ｓｅｒｖｉｎｇ  Ｒａｄｉｏ  Ｎｅｔｗｏｒｋ  Ｃｏｎｔｒｏｌｌｅｒ）により行われ、前記ネットワークノードは、ＤＲＮＣ（Ｄｒｉｆｔ  Ｒａｄｉｏ  Ｎｅｔｗｏｒｋ  Ｃｏｎｔｒｏｌｌｅｒ）であることを特徴とする請求項１に記載の制御情報処理方法。
【請求項４】  前記無線接続インターフェースプロトコルは、Ｉｕｂインターフェースプロトコルであることを特徴とする請求項１に記載の制御情報処理方法。
【請求項５】  前記ＨＳ−ＳＣＣＨの送信電力は、ＤＰＣＣＨ（Ｄｅｄｉｃａｔｅｄ  Ｐｈｙｓｉｃａｌ  Ｃｏｎｔｒｏｌ  Ｃｈａｎｎｅｌ）の各フィールド電力に対するＰＯ値により決定されることを特徴とする請求項１に記載の制御情報処理方法。
【請求項６】  前記無線接続インターフェースプロトコルが制御平面プロトコルである場合、前記ＰＯ値はメッセージ形態で転送されることを特徴とする請求項１に記載の制御情報処理方法。
【請求項７】  前記メッセージは、
ＳＲＮＣとＤＲＮＣ間に使用されるＲＮＳＡＰメッセージであり、
ＣＲＮＣと基地局間に使用されるＮＢＡＰメッセージであることを特徴とする請求項６に記載の制御情報処理方法。
【請求項８】  前記無線接続インターフェースプロトコルがユーザ平面プロトコルである場合、前記パワーオフセット値は制御フレーム形態で転送されることを特徴とする請求項１に記載の制御情報処理方法。
【請求項９】  前記制御フレームは、
パラメータの有無を表す無線インターフェースパラメータアップデートフラグフィールドと、
前記ＨＳ−ＳＣＣＨの電力制御のためのＰＯ値を転送するために使用されるＰＯフィールドとを含むことを特徴とする請求項８に記載の制御情報処理方法。
【請求項１０】  前記制御フレームは、
ＣＦＮ（Ｃｏｎｎｅｃｔｉｏｎ  Ｆｒａｍｅ  Ｎｕｍｂｅｒ）フィールドをさらに含むことを特徴とする請求項９に記載の制御情報処理方法。
【請求項１１】  前記ＰＯフィールドは、ＤＰＣＣＨの非ハンドオーバー又はソフトハンドオーバーのためのＰＯ値を転送するために使用されることを特徴とする請求項９に記載の制御情報処理方法。
【請求項１２】  前記制御フレームは、
選択的に含まれるＣＦＮフィールドと、
ＤＰＣＣＨの非ハンドオーバー又はソフトハンドオーバーのためのＰＯ値を転送するために使用されるＰＯフィールドとを含むことを特徴とする請求項８に記載の制御情報処理方法。
【請求項１３】  前記制御フレームは、
パラメータの有無を表す無線インターフェースパラメータアップデートフラグフィールドと、
ＣＦＮフィールドと、
ＴＰＣ（Ｔｒａｎｓｍｉｔ  Ｐｏｗｅｒ  Ｃｏｎｔｒｏｌ）ＰＯフィールドと、
ＤＰＣ（Ｄｏｗｎｌｉｎｋ  Ｐｏｗｅｒ  Ｃｏｎｔｒｏｌ）モード情報フィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドとを含むことを特徴とする請求項８に記載の制御情報処理方法。
【請求項１４】  前記制御フレームは、
選択的に含まれるＣＦＮフィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドとを含むことを特徴とする請求項８に記載の制御情報処理方法。
【請求項１５】  前記制御フレームは、
パラメータの有無を表す無線インターフェースパラメータアップデートフラグフィールドと、
ＣＦＮフィールドと、
ＴＰＣ  ＰＯフィールドと、
ＤＰＣモード情報フィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドと、
ノンプライマリーセルに使用されるＨＳ−ＳＣＣＨに対するＰＯ値を転送するために使用される第３ＰＯフィールドとを含むことを特徴とする請求項８に記載の制御情報処理方法。
【請求項１６】  前記制御フレームは、
選択的に含まれるＣＦＮフィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドと、
ノンプライマリーセルに使用されるＨＳ−ＳＣＣＨに対するＰＯ値を転送するために使用される第３ＰＯフィールドとを含むことを特徴とする請求項８に記載の制御情報処理方法。
【請求項１７】  通信システムの制御情報処理方法において、
ＨＳＤＰＡをサポートするＲＮＣからＰＯ値を受信する段階を含み、
前記ＰＯ値は、ＨＳ−ＳＣＣＨのための値であり、前記受信する段階は、無線接続インターフェースプロトコルを通して行われることを特徴とする制御情報処理方法。
【請求項１８】  前記受信されたＰＯ値を用いてＨＳ−ＳＣＣＨの送信電力を決定する段階をさらに含むことを特徴とする請求項１７に記載の制御情報処理方法。
【請求項１９】  前記受信する段階は、基地局により行われ、前記ＲＮＣは、ＣＲＮＣであることを特徴とする請求項１７に記載の制御情報処理方法。
【請求項２０】  前記受信する段階は、ＤＲＮＣにより行われ、前記ＲＮＣは、ＳＲＮＣであることを特徴とする請求項１７に記載の制御情報処理方法。
【請求項２１】  前記無線接続インターフェースプロトコルは、Ｉｕｒインターフェースプロトコルであることを特徴とする請求項１７に記載の制御情報処理方法。
【請求項２２】  前記ＨＳ−ＳＣＣＨの送信電力は、ＤＰＣＣＨの各フィールド電力に対するＰＯ値により決定されることを特徴とする請求項１７に記載の制御情報処理方法。
【請求項２３】  前記無線接続インターフェースプロトコルが制御平面プロトコルである場合、前記ＰＯ値はメッセージ形態で転送されることを特徴とする請求項１７に記載の制御情報処理方法。
【請求項２４】  前記メッセージは、
ＳＲＮＣとＤＲＮＣ間に使用されるＲＮＳＡＰメッセージであり、ＣＲＮＣと基地局間に使用されるＮＢＡＰメッセージであることを特徴とする請求項２３に記載の制御情報処理方法。
【請求項２５】  前記無線接続インターフェースプロトコルがユーザ平面プロトコルである場合、前記ＰＯ値は、制御フレーム形態で転送されることを特徴とする請求項１７に記載の制御情報処理方法。
【請求項２６】  前記制御フレームは、
パラメータの有無を表す無線インターフェースパラメータアップデートフラグフィールドと、
前記ＨＳ−ＳＣＣＨの電力制御のためのＰＯ値を転送するために使用されるＰＯフィールドとを含むことを特徴とする請求項２５に記載の制御情報処理方法。
【請求項２７】  前記制御フレームは、
ＣＦＮフィールドをさらに含むことを特徴とする請求項２６に記載の制御情報処理方法。
【請求項２８】  前記ＰＯフィールドは、
ＤＰＣＣＨの非ハンドオーバー又はソフトハンドオーバーのためのＰＯ値を転送するために使用されることを特徴とする請求項２６に記載の制御情報処理方法。
【請求項２９】  前記制御フレームは、
選択的に含まれるＣＦＮフィールドと、
ＤＰＣＣＨの非ハンドオーバー又はソフトハンドオーバーのためのＰＯ値を転送するために使用されるＰＯフィールドとを含むことを特徴とする請求項２５に記載の制御情報処理方法。
【請求項３０】  前記制御フレームは、
パラメータの有無を表す無線インターフェースパラメータアップデートフラグフィールドと、
ＣＦＮフィールドと、
ＴＰＣ  ＰＯフィールドと、
ＤＰＣモード情報フィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドとを含むことを特徴とする請求項２５に記載の制御情報処理方法。
【請求項３１】  前記制御フレームは、
選択的に含まれるＣＦＮフィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドとを含むことを特徴とする請求項２５に記載の制御情報処理方法。
【請求項３２】  前記制御フレームは、
パラメータの有無を表す無線インターフェースパラメータアップデートフラグフィールドと、
ＣＦＮフィールドと、
ＴＰＣ  ＰＯフィールドと、
ＤＰＣモード情報フィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドと、
ノンプライマリーセルに使用されるＨＳ−ＳＣＣＨに対するＰＯ値を転送するために使用される第３ＰＯフィールドとを含むことを特徴とする請求項２５に記載の制御情報処理方法。
【請求項３３】  前記制御フレームは、
選択的に含まれるＣＦＮフィールドと、
ＤＰＣＣＨのソフトハンドオーバーのためのＰＯ値を転送するために使用される第１ＰＯフィールドと、
プライマリーセルに使用されるＨＳ−ＳＣＣＨに対するＰＯ値を転送するために使用される第２ＰＯフィールドと、
ノンプライマリーセルに使用されるＨＳ−ＳＣＣＨに対するＰＯ値を転送するために使用される第３ＰＯフィールドとを含むことを特徴とする請求項２５に記載の制御情報処理方法。